(57)【特許請求の範囲】
【請求項１】
回線接続後にトーン信号を解析するトーン信号解析回路と、トーン信号によって特定される操作キーを視覚表示するキー表示機構と、を備えることを特徴とする無線通信装置。
【請求項２】
キー表示機構は、前記操作キーを引き下げるアクチュエータを備えることを特徴とする請求項１記載の無線通信装置。
【請求項３】
キー表示機構は、前記操作キーを点灯させることを特徴とする請求項１又は請求項２記載の無線通信装置。
【請求項４】
トーン信号に基づいて文字メッセージを作成する文字変換回路と、作成された文字メッセージを表示するディスプレイと、を備えることを特徴とする請求項１記載の無線通信装置。
【請求項５】
着信を知らせる振動を発生させる振動発生回路を備えることを特徴とする請求項１記載の無線通信装置。
【請求項６】
振動発生回路は、発信元ごとに異なる振動を発生させることを特徴とする請求項５記載の無線通信装置。
【請求項７】
着信時に、発信元ごとに異なる操作キーを点灯させる操作キー点灯回路を備えることを特徴とする請求項１記載の無線通信装置。
【請求項８】
発信元ごとに異なる応答メッセージを送出する留守番電話機能を備えることを特徴とする請求項６又は請求項７に記載の無線通信装置。
【発明の詳細な説明】
【０００１】
【発明の属する技術分野】
本発明は、携帯電話機や簡易型携帯電話機（ＰＨＳ）に代表される無線通信装置に関する。
【０００２】
【従来の技術】
無線通信装置に内蔵されたマイクに向かって発声することで通信相手との会話が成立する。例えば、静寂が求められる会議室や映画館内では、無線通信装置に向かって発声することは慎まなければならない。したがって、こうした公共の場では無線通信装置を使って通話をすることはほとんど不可能である。
【０００３】
【発明が解決しようとする課題】
本発明はかかる点に鑑みてなされたものであり、発声せずに通話相手とのコミュニケーションを実現することのできる無線通信装置を提供することを目的とする。
【０００４】
【課題を解決するための手段】
上記課題を解決するために、本発明は以下の手段を講じた。
【０００５】
請求項１記載の無線通信装置に関する発明は、回線接続後にトーン信号を解析するトーン信号解析回路と、トーン信号によって特定される操作キーを視覚表示するキー表示機構と、を備える構成を採る。
【０００６】
この構成によれば、相手方のキー操作が自分の無線通信装置の操作キーに反映される。その結果、操作キーの操作によってメッセージをやり取りすることが可能となる。操作キーを用いた無声通話が成立することとなる。
【０００７】
キー表示機構は、請求項２記載の発明のように、前記操作キーを引き下げるアクチュエータを備えてもよく、請求項３記載の発明のように、前記操作キーを点灯させてもよい。いずれにしても、操作キーの操作を視覚的に確認することができる。
【０００８】
請求項４記載の発明は、請求項１記載の無線通信装置において、トーン信号に基づいて文字メッセージを作成する文字変換回路と、作成された文字メッセージを表示するディスプレイと、を備える構成を採る。
【０００９】
この構成によれば、文字メッセージをディスプレイに表示させることによって無声通話を成立させることができる。
【００１０】
請求項５記載の発明は、請求項１記載の無線通信装置において、着信を知らせる振動を発生させる振動発生回路を備える構成を採る。
この構成により、音を発することなく着信を所持者に知らせることができる。
【００１１】
請求項６記載の発明は、請求項５記載の無線通信装置において、振動発生回路が、発信元ごとに異なる振動を発生させる構成を採る。
この構成によれば、振動の種類によって発信元を特定することが可能となる。
【００１２】
請求項７記載の発明は、請求項１記載の無線通信装置において、着信時に、発信元ごとに異なる操作キーを点灯させる操作キー点灯回路を備える構成を採る。
なお、こうした操作キー点灯回路は、振動発生回路とともに設けられてもよい。
【００１３】
請求項８記載の発明は、請求項６又は請求項７に記載の無線通信装置において、発信元ごとに異なる応答メッセージを送出する留守番電話機能を備える構成を採る。
この構成によれば、発信元ごとに適切な対応を実施することが可能となる。
【００１４】
【発明の実施の形態】
以下、本発明の一実施の形態似ついて添付図面を参照して詳細に説明する。
図１は本発明に係る無線通信装置の回路構成を示す。この無線通信装置は、アンテナ１１を通じて無線通信を実現する無線回路１２を備える。無線回路１２が任意の相手から発信を受けると、通信制御回路１３がスピーカ１４やディスプレイ１５を通じて着信を知らせる。無線通信装置の所持者がフック操作キー１６を操作すれば、回線が接続され、マイク１７やスピーカ１４を通じて通話が実現される。無線通信装置から発信する場合には、フック操作キー１６を操作した後、ダイヤル操作キー１８を操作して相手方の電話番号を入力すれば、無線回路１２から発信が行われる。相手方が電話を受ければ、マイク１４やスピーカ１７を通じて通話が成立する。フック操作キー１６を再度操作すれば、通話回線は遮断される。
【００１５】
図２に示すように、通信制御回路１３には主制御回路２０が接続される。この主制御回路２０は、電話をかけてきた相手方の電話番号を特定する電話番号検出回路２１を備える。着信時には、通信制御回路１３によって着信が知らされるとともに、電話番号検出回路２１によって特定された相手方の電話番号がディスプレイ１５に表示される。
【００１６】
また、主制御回路２０は振動発生回路２２を備える。この振動発生回路２２は、着信時に振動モータ２３を作動させて振動によって着信を知らせる。振動発生回路２２は、電話番号検出回路２１によって特定される相手方の電話番号に応じて異なる振動を発生させることができる。
【００１７】
主制御回路２０はさらに操作キー点灯回路２４を備える。この操作キー点灯回路２４は、着信時にダイヤル操作キー１８を点灯させることによって着信を知らせる。操作キー点灯回路２４は、電話番号検出回路２１によって特定される相手方の電話番号に応じて異なるダイヤル操作キー１８を点灯させることができる。
【００１８】
主制御回路２０には電話帳メモリ２５が接続される。電話帳メモリ２５には、相手方の名称及び電話番号が記憶される。ここでは、電話番号ごとに振動モータ２３の振動パターンやダイヤル操作キー１８の点灯パターンが記憶される。振動発生回路２２は、電話番号検出回路２１から相手方の電話番号を受け取ると、その電話番号に予め設定された振動パターンで振動モータ２３を作動させる。操作キー点灯回路２４は、電話番号検出回路２１から相手方の電話番号を受け取ると、その電話番号に予め設定された点灯パターンでダイヤル操作キー１８を点灯させる。
【００１９】
主制御回路２０は、さらに、回線接続後にトーン信号を解析するトーン信号解析回路２７を備える。このトーン信号解析回路２７は、相手方の電話機で操作された操作キーを特定する。
【００２０】
トーン信号解析回路２７には、トーン信号によって特定されるダイヤル操作キー１８を視覚的に表示するキー表示機構２８が接続される。このキー表示機構２８は、ダイヤル操作キー１８を引き下げるアクチュエータ２９を備える。したがって、相手方の電話機で操作キーが操作されると、無線通信装置側でも同一のダイヤル操作キー１８が引き下げられることとなる。
【００２１】
前述した操作キー点灯回路２４がキー表示機構２８に組み込まれてもよい。この場合には、相手方の電話機で操作された操作キーと同一のダイヤル操作キー１８が点灯されることとなる。ダイヤル操作キー１８は、点灯されると同時に引き下げられてもよい。
【００２２】
主制御回路２０は、トーン信号に基づいて文字メッセージを作成する文字変換回路３０を備えてもよい。こうして作成された文字メッセージはディスプレイ１５に表示される。トーン信号から文字メッセージへの変換には、既存のページャ用文字メッセージが用いられればよい。
【００２３】
主制御回路２０には、留守番電話回路３１が設けられてもよい。この留守番電話回路３１は、着信時にフック操作キー１６が操作されないと、通信回線を接続させるとともに、相手方に応答メッセージを送出する。留守番電話回路３１は、電話番号検出回路２１によって特定される相手方の電話番号に応じて異なる応答メッセージを送出することができる。こうした応答メッセージは、予め電話帳メモリ２５に記憶されていればよい。
【００２４】
例えば、無線通信装置の所持者が映画館にいる場合を想定する。その所持者は、無線通信装置の電源を切ることなく、無線通信装置に無声通話モードを設定する。無線通信装置が相手方からの発信を受け取ると、無線通信装置は着信を所持者に知らせる。このとき、電話番号検出回路２１が相手方の電話番号を検出すれば、検出された電話番号に予め設定された振動パターンで無線通信装置が振動すると同時に、設定された点灯パターンでダイヤル操作キー１８が点灯する。その結果、着信音がなくても、特定の相手から呼び出されたことを知ることができる。無線通信装置の所持者は発信元に応じた適切な対応をとることができる。
【００２５】
着信時の振動としては、例えば、図３（ａ）〜（ｄ）に示すように、発信元の電話番号ごとに、均一な振動を継続させるパターンや、１秒間隔で振動及び無振動を繰り返すパターン、３秒サイクルで振動の強弱を繰り返すパターン、３秒間の振動と１．５秒間の無振動とを繰り返すパターンといったパターンが設定されればよい。
【００２６】
また、図４に示すように、無線通信装置の上下方向の大きな振動や、無線通信装置の左右方向の大きな振動によって振動パターンが形成されてもよい。上下方向や左右方向では、かたかたと震えるような小刻みな振動や、ガツンと動くショック的な振動によって振動が区別されてもよい。こうした振動は、振動の周波数や振幅、振動方向を調整することによって形成される。
【００２７】
ここで、電話をかけた相手方が無声通話モードに通話を成立させたい場合を考える。この場合、図５に示すように、回線接続後に相手方の無線通信装置３５で操作キーが操作されると、自無線通信装置３６のダイヤル操作キー１８が引き下げられると同時に点灯される。すなわち、相手方のキー操作が自無線通信装置３６のキー操作に反映される。したがって、予め通話の相手との間でダイヤル操作キー１８によって特定の文字列を設定しておけば、ダイヤル操作キー１８の動きによって文字列を確認することができる。その結果、相手方が発声することなく通話を成立させることが可能となる。このとき、相手方のキー操作によって文字メッセージが作成されれば、その文字メッセージをディスプレイ１５に表示させてもよい。
【００２８】
図６に示されるように、ダイヤル操作キー１８が引き下げられたことが視覚的に簡単に認識されるように、各ダイヤル操作キー１８には１ｍｍ以上のストロークが設定されることが望ましい。
【００２９】
【発明の効果】
以上のように本発明によれば、相手から送られてくるトーン信号によって特定の操作キーを表示することができるので、そういった操作キーの表示によって任意のメッセージをやり取りすることが可能となる。したがって、無声で通話を成立させることが可能となる。
【図面の簡単な説明】
【図１】本発明の一実施の形態に係る無線通信装置の回路構成を示すブロック図
【図２】上記実施の形態に係る無線通信装置の主制御回路の構成を示すブロック図
【図３】上記実施の形態に係る無線通信装置の着信時の振動パターンを示す図
【図４】上記実施の形態に係る無線通信装置の着信時の他の振動パターンを示す図
【図５】上記実施の形態に係る無線通信装置の無声通話時の自無線通信装置及び相手方無線通信装置の作用を示す図
【図６】上記実施の形態に係る無線通信装置のダイヤル操作キーの拡大図
【符号の説明】
１５  ディスプレイ
１８  ダイヤル操作キー
２２  振動発生回路
２４  操作キー点灯回路
２７  トーン信号解析回路
２８  キー表示機構
２９  アクチュエータ
３０  文字変換回路
３１  留守番電話回路
【図１】
0004047453.tif 000002
【図２】
0004047453.tif 000003
【図３】
0004047453.tif 000004
【図４】
0004047453.tif 000005
【図５】
0004047453.tif 000006
【図６】
0004047453.tif 000007